(57)【特許請求の範囲】
【請求項１】
コイルボビン（２３ａ）にコイル（２３）を巻回し、かつ鉄心（２２）を組み込んでなる変圧器本体（２１）と、該変圧器本体（２１）を取り付ける取付金具（２７）と、前記変圧器本体（２１）の鉄心（２２）の外周に装着される大きさからなる平板を四角形状に形成し、自由端部側を開口自在にしたハム・プルーフ・ベルト（２４Ｂ）を備えた小型変圧器（２０）の製造方法であって、
前記鉄心（２２）の外周にほぼロ字状をなす前記ハム・プルーフ・ベルト（２４Ｂ）を開いて少なくとも二層以上重ねて装着し、このハム・プルーフ・ベルト（２４Ｂ）の自由端部同士は前記鉄心（２２）の側面に設けられ、自由端部同士は僅かな隙間を介し対向し、該ハム・プルーフ・ベルト（２４Ｂ）の外周をコ字状をした締付金具（２５）で前記取付金具（２７）を介して締め付け前記変圧器本体２１を固定することを特徴とした小型変圧器の製造方法。
【発明の詳細な説明】
【０００１】
【産業上の利用分野】
本発明は、民生用の電子機器に用いられる小型変圧器に関するものであり、詳しくは磁束の洩れを防止すべく鉄心の外周に磁気遮へい用のハム・プルーフ・ベルトを巻回した構造の小型変圧器の製造方法に関する。
【０００２】
【従来の技術】
従来技術における、この種の小型変圧器１は、図７及び図８に示すように、変圧器本体２と、平板を四角形状にして変圧器本体２の鉄心３の周囲を囲んで係合係止するハム・プルーフ・ベルト５と、取付金具６とから構成されている。ここで、図７は、ハム・プルーフ・ベルトを取り付けた取付金具に変圧器本体を取り付ける様子を示した略示的斜視図であり、図８はその側面図である。
【０００３】
変圧器本体２は、コイルボビン１１にコイル４を巻回し、かつそれに例えばＥ型鉄心３を組み込んだ構造となっている。
【０００４】
しかるに、従来において、ハム・プルーフ・ベルト（通常、略してＨＰＢとも伝う）５は、平板を予めコ字型形状に形成し、これを取付金具６に既に組み込み、これらによって形成された開口部５ａに横方向から別途組み立てられた上記変圧器本体２を挿入して係合係止する構造となっている。
【０００５】
上記取付金具６は、金属性平板を略四角形状に形成し、その四方のコーナー部分に係止孔７を備え、その略中央の位置に起立状態に切り起したストッパ８と、このストッパ８と反対端部に切り欠いた舌片状の爪部９と、短手方向の端部を起立させた係止部１０とからなる構造である。
【０００６】
このような構造をした小型変圧器１は、先ず取付金具６にコ字型形状をしたハム・プルーフ・ベルト５の両端の基部側を取付金具６の係止部１０にスポット溶接等により接続して組み立てる。そして取付金具６とハム・プルーフ・ベルト５で形成された空間（開口部５ａ）に変圧器本体２をストッパ８に当接するまでスライドさせて挿入し、爪部９を起立させて係合係止して組立は完成する。この場合、ハム・プルーフ・ベルト５は磁束の洩れを防止する観点から鉄心３の周囲に密着されるもので、開口部５ａと変圧器本体２との間は比較的厳しい寸法精度が要求される。
【０００７】
【発明が解決しようとする課題】
しかしながら、上記説明した従来技術における小型変圧器１においては、予めハム・プルーフ・ベルト５と取付金具６とが一体化され、その開口部５ａに変圧器本体２を挿入し変圧器本体２をストッパ８と起立させた爪部９で係合係止する構造となっているため、変圧器本体２と開口部５ａとの間に寸法精度のバラツキがあると重量のある変圧器本体２を安定して挿入することができないと云う構造上の問題と、重量のある変圧器本体２をスライドして挿入する際に圧入力が必要であり組み立てずらいと云う問題点があった。
【０００８】
従って、重量のある変圧器本体２を、組立てが容易でかつ構造的に複雑にならないで、安定して固定できる構造に解決しなければならない課題を有している。
【０００９】
【課題を解決するための手段】
上記課題を解決するために、本発明に係る小型変圧器の製造方法は、コイルボビン２３ａにコイル２３を巻回し、かつ鉄心２２を組み込んでなる変圧器本体２１と、該変圧器本体２１を取り付ける取付金具２７と、前記変圧器本体２１の鉄心２２の外周に装着される大きさからなる平板を四角形状に形成し、自由端部側を開口自在にしたハム・プルーフ・ベルト２４Ｂを備えた小型変圧器２０の製造方法であって、前記鉄心２２の外周にほぼロ字状をなす前記ハム・プルーフ・ベルト２４Ｂを開いて少なくとも二層以上重ねて装着し、このハム・プルーフ・ベルト２４Ｂの自由端部同士は前記鉄心２２の側面に設けられ、自由端部同士は僅かな隙間を介し対向し、該ハム・プルーフ・ベルト２４Ｂの外周をコ字状をした締付金具２５で前記取付金具２７を介して締め付け前記変圧器本体２１を固定する構成としている。
【００１０】
【作用】
上記構成にした小型変圧器は、変圧器本体に予めハム・プルーフ・ベルトを開いて装着し、この少なくとも二層以上のハム・プルーフ・ベルトを装着した変圧器本体の外周からコ字型形状をしたベルト状の締付金具で取付金具を介して締め付け固定するようにしたことにより、組み立てが容易となるばかりでなく、四角形状をなすハム・プルーフ・ベルトの自由端部同士の位置を鉄心の側面としたため、重量のある小型変圧器本体を安定した状態で取付金具に取り付けることができるようになる。
【００１１】
【実施例】
以下、本発明によって製造された小型変圧器について図を参照にして以下詳細に説明する。ここで、図１は、ハム・プルーフ・ベルト２４Ｂを装着した変圧器本体２１を、取付金具２７にのせ締付金具２５で締め付け固定する様子を示す分解斜視図である。
【００１２】
すなわち、図１に示すように、本発明によって製造された小型変圧器２０は、両端にフランジを有するコイルボビン２３ａの巻胴部にコイル２３を巻回し、かつ例えばＥ型鉄心２２を組み込んでなる変圧器本体２１と、この変圧器本体２１を構成する鉄心２２の外周に密着して取付ける平板を四角形状に折り曲げほぼロ字状に形成したハム・プルーフ・ベルト（ＨＰＢ）２４Ｂと、変圧器本体２１を固定する平板をコ字型形状をしたベルト状の締付金具２５と、取付金具２７とから構成されている。
【００１３】
この変圧器本体２１は、図１に示すように、重量のある鉄心２２やコイル２３等を備えているため、重量がある構造となっている。
【００１４】
ハム・プルーフ・ベルト２４Ｂは、平板を変圧器本体２１の鉄心２２の周囲に取付けるものであり、ロ字状、つまり四角形状にし、かつ一部を開放し、その自由端部側を開口自在にした構成となっており、互いに僅かな隙間を介し対向させ、自由端部同士の位置を鉄心の側面としている。
【００１５】
図５及び図６に示すように、クリアランスを設けた形状のハム・プルーフ・ベルト２４Ｂは、四角形状に形成した自由端部同士の対向する部分に隙間Ｘができるようにした構造である。このような構造にすることにより、ハム・プルーフ・ベルト２４Ｂの重なり部分がなくなるため、巻数が２重３重以上となっても締付金具２５を介し容易に取付金具２７に取付け易い。しかし、実用上、差程支障のない範囲で洩れ磁束が生じる。
【００１６】
締付金具２５は、図１に示すように、変圧器本体２１の鉄心２２に装着したハム・プルーフ・ベルト２４Ｂの外周を挟むようにして変圧器本体２１を係合係止するものであり、ベルト状にした平板を略変圧器本体２１の横幅Ｙの広さからなるコ字型形状に形成し、その両側の先端部２６は丸みを帯びた形状にした構造となっている。
【００１７】
取付金具２７は、図１に示すように、略四角形状に形成され、対向する両端部に細長い透孔２８を備え、且つ起立させたベルト取付部２９Ａ、２９Ｂを設けた構造となっている。このベルト取付部２９Ａ、２９Ｂの間の幅は変圧器本体２１の横幅Ｙの大きさにベルト２５の板厚分を加えた広さとなっており、且つベルト取付部２９Ａ、２９Ｂ間の中間位置には、舌片状に切り欠いて起立させた位置決め片３０を設けた構造となっている。
【００１８】
このような構造からなる小型変圧器２０の組み立ては、図４に示すように、先ず四角形状のハム・プルーフ・ベルト２４Ｂの自由端部側を開いた状態にして、変圧器本体２１の横方向から装着して鉄心２２部分に取付ける。この場合、ハム・プルーフ・ベルト２４Ｂは押し広げた状態とするため、取付けに際し、従来例のような寸法精度は要求されず、鉄心２２に取付け易く、作業性が良い。
【００１９】
次に、図１に示すように、ハム・プルーフ・ベルト２４Ｂを装着した変圧器本体２１を位置決め片３０に合わせて取付金具２７の上に置き、その上からコ字型形状のベルト２５で変圧器本体２１を挟むようにして、ベルト２５の両側の先端部２６をベルト取付部２９Ｂの締付金具挿入部２８に挿入する（図２参照）。
【００２０】
しかる後、挿入した締付金具２５の両側の先端部２６を、図３に示すように、変圧器本体２１を固定しながら下側に引っ張りながら外側に折り曲げて変圧器本体２１を締め付け固定する。なお、そのまま外側に折り曲げても、折り曲げる際に下方向に引っ張る力が作用するので、変圧器本体２１を締め付け固定できる構造となっている。
【００２１】
このようにして、ハム・プルーフ・ベルト２４Ｂを装着した変圧器本体２１の上からベルト２５で係止するようにすることにより、たとえ質量のある変圧器本体２５であっても簡単に位置ずれしたり、取付金具２７から外れたりしない構造となっている。
【００２２】
【発明の効果】
以上説明したように、本発明に係る小型変圧器の製造方法によれば、変圧器本体２１に予め四角形状に形成したハム・プルーフ・ベルト２４Ｂを押し広げて開口部を大として少なくとも二層以上装着するようにしたため、ハム・プルーフ・ベルト２４Ｂの取付作業が容易となるばかりでなく、ハム・プルーフ・ベルト２４Ｂの自由端部同士を鉄心２２の側面としたため、重量のある小型変圧器本体２１を安定した状態で取付金具２７に取り付けることができると云う極めて優れた効果を奏する。
【図面の簡単な説明】
【図１】  本発明によって製造された小型変圧器の構成を分解した全体斜視図である。
【図２】  同ベルトにより取り付ける要部を拡大した斜視図である。
【図３】  同ベルトにより係止した要部を拡大した斜視図である。
【図４】  同ハム・プルーフ・ベルトの取り付けを示す要部を拡大した斜視図である。
【図５】  クリアランスを持ったハム・プルーフ・ベルトの斜視図である。
【図６】  同クリアランスを持ったハム・プルーフ・ベルトの説明図である。
【図７】  従来技術における小型変圧器の組み立てを示した斜視図である。
【図８】  従来技術における組み立てられた小型片圧器の側面図である。
【符号の説明】
２０      小型変圧器
２１      変圧器本体
２２      鉄心
２３      コイル
２４Ｂ    ハム・プルーフ・ベルト（ＨＰＢ）
２５      締付金具
２６      先端部
２７      取付金具
２８      締付金具挿入部
２９Ａ、２９Ｂ    締付金具取付部
３０      位置決め片
【図１】
0004040115.tif 000002
【図２】
0004040115.tif 000003
【図３】
0004040115.tif 000004
【図４】
0004040115.tif 000005
【図５】
0004040115.tif 000006
【図６】
0004040115.tif 000007
【図７】
0004040115.tif 000008
【図８】
0004040115.tif 000009